(57)【要約】【課題】磁気ヘッド組立体及び記憶装置において、ヘッドスライダの端子とサスペンションの端子を電気的に接続する半田等の導電材料の脱落を抑制することを目的とする。【解決手段】取り付け面と、取り付け面と略垂直に延びる曲げ部と、曲げ部に設けられた複数の第１の端子を有するサスペンションと、走査面と、走査面とは反対側に設けられた固定面と、固定面から略垂直に延びると共に走査面と固定面を接続する側面と、側面に設けられた複数の第２の端子を有するヘッドスライダを備え、ヘッドスライダの固定面がサスペンションの取り付け面に固定された状態で、第２の端子は対応する第１の端子と対向して電気的に接続されている。【選択図】図９
2009230821.tif 000002
【特許請求の範囲】
【請求項１】
取り付け面と、該取り付け面と略垂直に延びる曲げ部と、該曲げ部に設けられた複数の第１の端子を有するサスペンションと、
走査面と、該走査面とは反対側に設けられた固定面と、該固定面から略垂直に延びると共に該走査面と該固定面を接続する側面と、該側面に設けられた複数の第２の端子を有するヘッドスライダを備え、
該ヘッドスライダの固定面が該サスペンションの取り付け面に固定された状態で、該第２の端子は対応する該第１の端子と対向して電気的に接続されている、磁気ヘッド組立体。
【請求項２】
該第１の端子は、該取り付け面の一部まで延在しており、
該第２の端子は、該固定面の一部まで延在している、請求項１記載の磁気ヘッド組立体。
【請求項３】
該第２の端子は対応する該第１の端子と対向して導電材料により電気的に接続されている、請求項１又は２記載の磁気ヘッド組立体。
【請求項４】
該第１の端子の数及び該第２の端子の数は、いずれも４個以上である、請求項１乃至３のいずれか１項記載の磁気ヘッド組立体。
【請求項５】
記録面を有する磁気記録媒体と、
サスペンション及びヘッドスライダを有する磁気ヘッド組立体を備え、
該サスペンションは、取り付け面と、該取り付け面と略垂直に延びる曲げ部と、該曲げ部に設けられた複数の第１の端子を有し、
該ヘッドスライダは、信号の記録再生時に該磁気記録媒体の記録面から浮上する走査面と、該走査面とは反対側に設けられた固定面と、該固定面から略垂直に延びると共に該走査面と該固定面を接続する側面と、該側面に設けられた複数の第２の端子を有し、
該ヘッドスライダの固定面が該サスペンションの取り付け面に固定された状態で、該第２の端子は対応する該第１の端子と対向して電気的に接続されている、記憶装置。
【発明の詳細な説明】
【技術分野】
【０００１】
本発明は、磁気ヘッド組立体及び記憶装置に係り、特に磁気ヘッドがサスペンションと接着される面以外の面に端子を有する磁気ヘッド組立体、及びそのような磁気ヘッド組立体を有する記憶装置に関する。
【背景技術】
【０００２】
磁気ディスク装置等の記憶装置には、磁気ヘッド組立体が設けられている。磁気ヘッド組立体にはサスペンションが設けられており、磁気ヘッドはサスペンションの先端部分に設けられている。又、サスペンションには、配線が設けられており、配線の一端は磁気ディスク装置内の信号処理系に接続され、他端には複数の端子が設けられている。磁気ヘッドは、信号の記録再生時に磁気ディスクの記録面から浮上する走査面であるＡＢＳ（Air Bearing Surface）と、ＡＢＳとは反対側に設けられサスペンションに固定される固定面を有するヘッドスライダにより形成されている。ヘッドスライダのＡＢＳ及び固定面以外の１つの側面には、複数の端子が設けられており、これらの端子はサスペンション側の端子と電気的に接続されている。
【０００３】
図１は、従来の磁気ヘッド組立体の一部を示す側面図である。図１において、磁気ヘッド組立体は、ヘッドスライダ１及びサスペンション２を有する。ヘッドスライダ１は、ＡＢＳ１１、固定面１２及び側面１３を有し、側面１３には複数の端子１４が設けられている。ヘッドスライダ１の固定面１２は、例えば接着剤３によりサスペンション２の上面（取り付け面）に固定されている。この状態で、サスペンション２の上面に設けられた複数の端子２４は、半田４によりヘッドスライダ１の対応する端子１４に接続される。
【０００４】
近年、磁気ディスク装置の小型化に伴い磁気ヘッド組立体が小型化され、磁気ヘッド組立体が非常に小さくなってきているので、ヘッドスライダ及びサスペンションに設けられた端子が非常に小さくなってきた。又、記録密度を更に向上するために、磁気ヘッドに設けられたヒータを制御することで磁気ヘッドの磁気ディスクからの浮上量を制御する技術も提案されている。このようなヒータが設けられた磁気ヘッドの場合、ヘッドスライダとサスペンションに設けられた端子の数がヒータを制御するために設けられた端子の数だけ増加し、ヒータの数が増加すると端子の数も増加する。つまり、端子自体が小型化しているのに加え、端子の数も増加しているので、端子が更に小型化される傾向にある。
【０００５】
図１の磁気ヘッド組立体の場合、半田４には金（Ａｕ）を用いて、ＧＢＢ（Gold Ball Bonding）により端子１４，２４を接続していた。しかし、磁気ヘッド組立体の小型化が進むと共に、端子１４，２４の数が増加するに伴い、ＧＢＢを用いることが難しくなり、ＳＢＢ（Solder Ball Bonding）を用いるようになってきた。一方、ＳＢＢで用いる半田４の半田材料は、環境への悪影響等を考慮して、鉛（Ｐｂ）を含まない半田材料（所謂、鉛フリー半田材料）が使用されるため、鉛を含む半田材料と比較すると脱落し易い。ところが、従来の磁気ヘッド組立体では、ヘッドスライダ１側の端子１４とサスペンション２側の端子２４とが互いに略垂直な面上に延在するため、各端子１４，２４の対を接続する半田４の量は比較的多く、接続後に露出している半田４の面積が比較的大きい。
【０００６】
本発明者は、半田４の露出面積が比較的大きい場合に生じる半田４の脱落が、磁気ディスク装置の信頼性を含む性能を向上する上で無視できない程度に達していることを見出した。図２は、図１において端子１４，２４の対を接続する半田４の露出面の一部を示す顕微鏡写真である。図２中、（ａ）は半田４の露出面の脱落部分を丸で囲んで示し、（ｂ）は（ａ）の丸で囲んだ脱落部分を拡大して示し、（ｃ）は（ｂ）のＲ１の領域を拡大して示し、（ｄ）は（ｂ）のＲ２の領域を拡大して示す。図２中、（ｃ）では半田４の脱落が容易に確認でき、（ｄ）ではクラック或いは空洞が確認できた。半田４の脱落は、半田４に加えられる応力等により発生すると考えられる。
【０００７】
図３は、ＨＤＩ（Head Disk Interference）等の障害が発生した磁気ディスク装置のヘッドスライダ１で検出された付着物を示す顕微鏡写真である。図３中、（ａ）はヘッドスライダ１のＡＢＳ１１に付着物が検出されたヘッド素子の領域を丸で囲んで示し、（ｂ）は（ａ）の丸で囲んだ領域を拡大して示す。本発明者が図３中、（ｂ）の丸で囲んだヘッド素子の領域で検出された付着物の成分を調べたところ、半田４に含まれるすず（Ｓｎ）と同じ成分のすずが検出された。又、障害が発生した磁気ディスク装置では、多くの場合、このようにヘッド素子の領域で検出された付着物からすずが検出されることが本発明者により確認された。更に、付着物からすずが検出されるのは、半田４の露出面積が比較的大きい場合に生じる半田４の脱落量が比較的多いことが原因の１つであると考えられる。以上の結果から、本発明者は、半田４の露出面積が比較的大きい場合に生じる半田４の脱落が、ヘッドスライダ１のＡＢＳ１１に付着する付着物の原因の１つであり、この付着物により磁気ディスク装置にＨＤＩ等の障害を引き起こしているため、磁気ディスク装置の性能を向上する上で無視できない程度に達していることを見出した。
【０００８】
ヘッドスライダの取り付け面への取り付け及び電気的接続の両方を半田で行う方法は、例えば特許文献１にて提案されている。又、ヘッドスライダの揺動運動の制約を防止する方法は、例えば特許文献２にて提案されている。
【特許文献１】特開昭６３−１１３３１８号公報
【特許文献２】特開平８−３１１２７号公報
【発明の開示】
【発明が解決しようとする課題】
【０００９】
従来、ヘッドスライダの端子とサスペンションの端子を電気的に接続する半田の露出面積は比較的大きく、半田の脱落を抑制することが難しいという問題があった。
【００１０】
そこで、本発明は、ヘッドスライダの端子とサスペンションの端子を電気的に接続する半田等の導電材料の脱落を抑制することが可能な磁気ヘッド組立体及び記憶装置を提供することを目的とする。
【課題を解決するための手段】
【００１１】
本発明の一観点によれば、取り付け面と、該取り付け面と略垂直に延びる曲げ部と、該曲げ部に設けられた複数の第１の端子を有するサスペンションと、走査面と、該走査面とは反対側に設けられた固定面と、該固定面から略垂直に延びると共に該走査面と該固定面を接続する側面と、該側面に設けられた複数の第２の端子を有するヘッドスライダを備え、該ヘッドスライダの固定面が該サスペンションの取り付け面に固定された状態で、該第２の端子は対応する該第１の端子と対向して電気的に接続されている磁気ヘッド組立体が提供される。
【００１２】
本発明の一観点によれば、取り付け面と、該取り付け面に設けられた複数の第１の端子を有するサスペンションと、走査面と、該走査面とは反対側に設けられた固定面と、該固定面から略垂直に延びると共に該走査面と該固定面を接続する側面と、該側面に設けられた複数の第２の端子を有するヘッドスライダを備え、該ヘッドスライダの固定面が該サスペンションの取り付け面に固定された状態で、該第２の端子は対応する該第１の端子に半田により電気的に接続されており、該半田は絶縁材料により覆われている磁気ヘッド組立体が提供される。
【００１３】
本発明の一観点によれば、記録面を有する磁気記録媒体と、サスペンション及びヘッドスライダを有する磁気ヘッド組立体を備え、該サスペンションは、取り付け面と、該取り付け面と略垂直に延びる曲げ部と、該曲げ部に設けられた複数の第１の端子を有し、該ヘッドスライダは、信号の記録再生時に該磁気記録媒体の記録面から浮上する走査面と、該走査面とは反対側に設けられた固定面と、該固定面から略垂直に延びると共に該走査面と該固定面を接続する側面と、該側面に設けられた複数の第２の端子を有し、該ヘッドスライダの固定面が該サスペンションの取り付け面に固定された状態で、該第２の端子は対応する該第１の端子と対向して電気的に接続されている記憶装置が提供される。
【発明の効果】
【００１４】
開示の磁気ヘッド組立体及び記憶装置によれば、ヘッドスライダの端子とサスペンションの端子を電気的に接続する半田等の導電材料の脱落を抑制することができる。
【発明を実施するための最良の形態】
【００１５】
開示の磁気ヘッド組立体及び記憶装置においては、ヘッドスライダの端子とサスペンションの端子を電気的に接続する半田等の導電材料の脱落を抑制する構成を採用する。例えば、ヘッドスライダの端子とサスペンションの端子を電気的に接続する半田を覆う絶縁材料を設けても、ヘッドスライダの端子とサスペンションの端子とが対向する配置としても良い。後者の場合、対応するヘッドスライダの端子とサスペンションの端子の電気的接続は、各端子に半田等の導電材料をコーティングしておき熱を加えることで行っても、各端子を金等で形成しておき熱圧着や超音波ボンディング等のボンディング方法により行っても良い。
【００１６】
ヘッドスライダの端子とサスペンションの端子を電気的に接続する半田等の導電材料の脱落を抑制することで、導電材料の脱落に起因するＨＤＩ等の記憶装置の障害を防止して記憶装置の性能を向上することができる。
【実施例１】
【００１７】
以下に説明する本発明の各実施例では、説明の便宜上、記憶装置は、磁気記録媒体として磁気ディスクを用いる磁気ディスク装置であるものとする。
【００１８】
図４は、磁気ディスク装置を示す平面図である。図４に示す磁気ディスク装置の基本構成は、以下に説明する各実施例に共通である。尚、図４に示す基本構成自体は周知であり、他の周知の基本構成を採用可能であることは言うまでもない。
【００１９】
図４に示す磁気ディスク装置３１は、ベース３２上に磁気ヘッド組立体（又は、ＨＳＡ：Head Stack Assembly）３３、ロード・アンロード（Load Unload）機構３４、磁気ディスク３５等を有する。磁気ヘッド組立体３３は、ピボット３６を中心に回動可能である。
【００２０】
図５は、磁気ヘッド組立体３３を示す図である。図５中、（ａ）は磁気ヘッド組立体３３の平面図、（ｂ）は磁気ヘッド組立体３３の側面図を示す。図５に示す磁気ヘッド組立体３３は、ＨＧＡ（Head Gimbal Assembly）３７を有する。
【００２１】
図６は、ＨＧＡ３７を示す図である。図６中、（ａ）はＨＧＡ３７の平面図、（ｂ）はＨＧＡ３７の側面図である。図６に示すＨＧＡ３７は、サスペンション４１を有する。サスペンション４１には、配線４２及びヘッドスライダ４３が設けられている。
【００２２】
図７は、ヘッドスライダ用の取り付け面を示す図である。図７中、（ａ）はサスペンション４１の底面図、（ｂ）はサスペンション４１の側面図である。図７に示すサスペンション４１には、ヘッドスライダ４３を取り付けるための取り付け面４１１と、複数の端子（第１の端子）４１２と、フレキシャ４１７が設けられている。複数の端子４１２は、配線４２の一端に接続されており、配線４２の他端は磁気ディスク装置３１内の信号処理系（図示せず）に接続されている。サスペンション４１には凸部４１８が設けられており、フレキシャ４１７はこの凸部４１８を支点としてサスペンション４１に支持されている。本実施例では、取り付け面４１１及び複数の端子４１２は、フレキシャ４１７に設けられている。サスペンション４１（即ち、フレキシャ４１７）の先端部分に設けられたヘッドスライダ４３は、モータ（図示せず）により回転される磁気ディスク３５に信号を記録し、磁気ディスク３５に記録された信号を再生する。尚、磁気ヘッド組立体３３に設けられたサスペンション４１の数及びヘッドスライダ４３の数は、特に限定されない。
【００２３】
説明の便宜上、磁気ヘッド組立体３３はロード・アンロードタイプのものなので、磁気ディスク装置３１のモードに応じて、ヘッドスライダ４３はロード・アンロード機構３４からアンロードされて磁気ディスク３５上に移動し、磁気ディスク３５上からロード・アンロード機構３４にロードされる。図７に示すように、磁気ヘッド組立体３３のサスペンション４１の先端部分には、ロード・アンロード機構３４と係合可能なロード・アンロード用タブ４１５が設けられている。ロード・アンロード用タブ４１５は、例えばサスペンション４１と一体的に形成されている。このロード・アンロード用タブ４１５が、ロード・アンロード機構３４の案内面に沿って案内されることで、ヘッドスライダ４３のロード・アンロード機構３４に対するロード・アンロードが行われる。ヘッドスライダ４３がロード・アンロード機構３４にロードされた状態では、ヘッドスライダ４３は磁気ディスク３５の記録面上を避けた位置に退避している。
【００２４】
図８は、ヘッドスライダ４３を示す三面図である。図８中、（ａ）はヘッドスライダ４３の底面図、（ｂ）はヘッドスライダ４３の正面図、（ｃ）はヘッドスライダの側面図である。図８中、ヘッドスライダ４３が磁気ディスク３５の記録面から例えば１０ｎｍ浮上した状態で記録面を走査する際、（ａ）においてヘッドスライダ４３の左側が空気の流入側となり、ヘッドスライダ４３の右側が空気の流出側となる。図８に示すように、ヘッドスライダ４３は、走査面であるＡＢＳ４３１、ＡＢＳ４３１とは反対側に設けられた固定面４３２、固定面４３２から略垂直に延びると共にＡＢＳ４３１と固定面４３２を接続する側面４３３と、側面４３３付近に設けられたヘッド素子４３４、及び側面４３３に設けられた複数の端子（第２の端子）４３５を有する。
【００２５】
ここでは説明の便宜上、ヘッドスライダ４３内に３対のヒータ（図示せず）が設けられており、ヒータを制御することによりヘッドスライダ４３のＡＢＳ４３１の磁気ディスク３５の記録面からの浮上量を制御可能であるものとする。このような浮上量の制御方法自体は周知であるため、その説明は省略する。ヘッドスライダ４３の端子４３５は、信号記録用の端子２個、信号再生用の端子２個、ヒータ制御用の端子２個の合計６個である。ヒータ制御用の端子２個のうち１個は接地端子を兼ねている。サスペンション４１側に設けられた端子４１２の数も同じ６個である。しかし、端子４１２，４３５の数はいずれも６個に限定されるものではなく、ヘッドスライダ４３にヒータが設けられない場合には４個で良く、ヘッドスライダ４３にヒータが設けられる場合にはヒータの数に応じて６個以上であれば良い。
【００２６】
図９は、本発明の第１実施例における磁気ヘッド組立体の一部を示す側面図である。図９に示すように、サスペンション４１（フレキシャ４１７）の取り付け面４１１には、ヘッドスライダ４３の固定面４３２が接着剤６１により接着されている。接着剤は特に限定されず、例えば導電性接着剤を用いることも可能である。ヘッドスライダ４３の端子４３５とサスペンション４１側の対応する端子４１２は、半田６２により電気的に接続されている。又、半田６２の露出面は、絶縁材料６３により覆われている。絶縁材料６３は特に限定されず、例えば樹脂を使用することも可能である。絶縁材料６３は、望ましくは柔軟性を有する材料である。
【００２７】
本実施例では、半田６２の露出面が絶縁材料６３により覆われているので、たとえ応力等により半田６２にクラック等が発生しても、半田６２の脱落は絶縁材料６３により抑制される。
【実施例２】
【００２８】
図１０は、本発明の第２実施例における磁気ヘッド組立体の一部を示す側面図である。同図中、図９と同一部分には同一符号を付し、その説明は省略する。本実施例及び後述する本発明の第３及び第４実施例では、サスペンション４１（フレキシャ４１７）の一部に取り付け面４３２と略垂直に延びる曲げ部４３Ａ又は４３Ｂが設けられている点を除けば、サスペンション４１（フレキシャ４１７）の構造は上記第１実施例の場合と同様である。このため、第２乃至第４実施例において端子４１２が設けられている平面は、上記第１実施例において例えば図７に示す端子４１２が設けられている平面とは異なるが、図７を含むＨＧＡ３７等の全体の構造の図示及び説明は省略する。
【００２９】
図１０に示すように、サスペンション４１側の端子４１２は曲げ部４３Ａに設けられており、ヘッドスライダ４３の対応する端子４３５と対向しており、導電材料６５により電気的に接続されている。端子４１２の表面と端子４３５の表面は、互いに略平行である。導電材料６５が半田の場合、図１に示す従来例と比較すると半田の量を少なくすることができ、又、端子４１２，４３５が略平行で近接しているため、半田の露出面積が非常に小さい。このため、半田の脱落は、図１に示す従来例と比較すると大幅に抑制される。
【００３０】
導電材料６５は半田限定されず、端子４１２及び端子４３５の少なくとも一方の表面に予め導電材料６５をコーティングしておき、図１０中右側から熱を加える等の方法で対応する端子４１２，４３５同士を電気的に接続することも可能である。導電材料６５は、周知の印刷技術を用いて端子４１２，４３５の表面にコーティングすることもできる。更に、端子４１２及び端子４３５の少なくとも一方の材料を金等に選定し、熱圧着や超音波ボンディング等のボンディング方法により対応する端子４１２，４３５同士を電気的に接続することも可能である。この場合、導電材料６５は、端子４１２及び端子４３５の少なくとも一方の材料が溶けて固まったものである。
【実施例３】
【００３１】
図１１は、本発明の第３実施例における磁気ヘッド組立体の一部を示す側面図である。図１１中、図１０と同一部分には同一符号を付し、その説明は省略する。
【００３２】
図１１に示すように、サスペンション４１側の端子４１２は、取り付け面４１１の一部まで延在しており、ヘッドスライダ４３の端子４３５は、固定面４３２の一部まで延在している。これにより、対応する端子４１２，４３５は、互いに対向する面積が図１０の第２実施例の場合より増加し、導電材料６５は取り付け面４１１に沿って延在する端子４１２の部分と固定面４３２に沿って延在する端子４３５の部分の間にも挿入できるので、対応する端子４１２，４３５のより確実な電気的接続が可能となる。
【実施例４】
【００３３】
図１２は、本発明の第４実施例における磁気ヘッド組立体の一部を示す側面図である。図１２中、図１０と同一部分には同一符号を付し、その説明は省略する。
【００３４】
図１２に示すように、サスペンション４１の曲げ部４３Ｂは、コの字状に曲げられた形状を有する。配線４２は、このコの字形状に沿って曲げられている。従って、配線４２は、曲げ部４３Ｂにおいてもサスペンション４１の取り付け面４１１と略平行に配置できる。
【００３５】
上記各実施例の構成を有する磁気ディスク装置では、ヘッドスライダの端子とサスペンションの端子を電気的に接続する半田等の導電材料の脱落を抑制することが可能であり、又、導電材料の脱落に起因するＨＤＩ等の磁気ディスク装置の障害を防止して磁気ディスク装置の性能を向上することができる。
【００３６】
尚、本発明は、以下に付記する発明をも包含するものである。
（付記１）
取り付け面と、該取り付け面と略垂直に延びる曲げ部と、該曲げ部に設けられた複数の第１の端子を有するサスペンションと、
走査面と、該走査面とは反対側に設けられた固定面と、該固定面から略垂直に延びると共に該走査面と該固定面を接続する側面と、該側面に設けられた複数の第２の端子を有するヘッドスライダを備え、
該ヘッドスライダの固定面が該サスペンションの取り付け面に固定された状態で、該第２の端子は対応する該第１の端子と対向して電気的に接続されている、磁気ヘッド組立体。
（付記２）
該第１の端子は、該取り付け面の一部まで延在しており、
該第２の端子は、該固定面の一部まで延在している、付記１記載の磁気ヘッド組立体。
（付記３）
該ヘッドスライダの固定面は接着剤により該サスペンションの取り付け面に固定されている、付記１又は２記載の磁気ヘッド組立体。
（付記４）
該第２の端子は対応する該第１の端子と対向して導電材料により電気的に接続されている、付記１乃至３のいずれか１項記載の磁気ヘッド組立体。
（付記５）
該導電材料の露出面は絶縁材料に覆われている、付記４記載の磁気ヘッド組立体。
（付記６）
該第１の端子の数及び該第２の端子の数は、いずれも４個以上である、付記１乃至５のいずれか１項記載の磁気ヘッド組立体。
（付記７）
取り付け面と、該取り付け面に設けられた複数の第１の端子を有するサスペンションと、
走査面と、該走査面とは反対側に設けられた固定面と、該固定面から略垂直に延びると共に該走査面と該固定面を接続する側面と、該側面に設けられた複数の第２の端子を有するヘッドスライダを備え、
該ヘッドスライダの固定面が該サスペンションの取り付け面に固定された状態で、該第２の端子は対応する該第１の端子に半田により電気的に接続されており、
該半田は絶縁材料により覆われている、磁気ヘッド組立体。
（付記８）
記録面を有する磁気記録媒体と、
サスペンション及びヘッドスライダを有する磁気ヘッド組立体を備え、
該サスペンションは、取り付け面と、該取り付け面と略垂直に延びる曲げ部と、該曲げ部に設けられた複数の第１の端子を有し、
該ヘッドスライダは、信号の記録再生時に該磁気記録媒体の記録面から浮上する走査面と、該走査面とは反対側に設けられた固定面と、該固定面から略垂直に延びると共に該走査面と該固定面を接続する側面と、該側面に設けられた複数の第２の端子を有し、
該ヘッドスライダの固定面が該サスペンションの取り付け面に固定された状態で、該第２の端子は対応する該第１の端子と対向して電気的に接続されている、記憶装置。
（付記９）
該第１の端子は、該取り付け面の一部まで延在しており、
該第２の端子は、該固定面の一部まで延在している、付記８記載の記憶装置。
（付記１０）
該第２の端子は対応する該第１の端子と対向して導電材料により電気的に接続されている、付記８又は９記載の記憶装置。
（付記１１）
該第１の端子の数及び該第２の端子の数は、いずれも４個以上である、付記８乃至１０のいずれか１項記載の記憶装置。
【００３７】
以上、本発明を実施例により説明したが、本発明は上記実施例に限定されるものではなく、本発明の範囲内で種々の変形及び改良が可能であることは言うまでもない。
【図面の簡単な説明】
【００３８】
【図１】従来の磁気ヘッド組立体の一部を示す側面図である。
【図２】端子の対を接続する半田の露出面の一部を示す顕微鏡写真である。
【図３】障害が発生した磁気ディスク装置のヘッドスライダで検出された付着物を示す顕微鏡写真である。
【図４】磁気ディスク装置を示す平面図である。
【図５】磁気ヘッド組立体を示す図である。
【図６】ＨＧＡを示す図である。
【図７】ヘッドスライダ用の取り付け面を示す図である。
【図８】ヘッドスライダを示す三面図である。
【図９】本発明の第１実施例における磁気ヘッド組立体の一部を示す側面図である。
【図１０】本発明の第２実施例における磁気ヘッド組立体の一部を示す側面図である。
【図１１】本発明の第３実施例における磁気ヘッド組立体の一部を示す側面図である。
【図１２】本発明の第４実施例における磁気ヘッド組立体の一部を示す側面図である。
【符号の説明】
【００３９】
３１      磁気ディスク装置
３３      磁気ヘッド組立体
４１      サスペンション
４３      ヘッドスライダ
４３Ａ，４３Ｂ      曲げ部
６２      半田
６３      絶縁材料
６５      導電材料
４１１      取り付け面
４１２，４３５      端子
４３１      ＡＢＳ
４３２    固定面
【図１】
2009230821.tif 000003
【図４】
2009230821.tif 000004
【図５】
2009230821.tif 000005
【図６】
2009230821.tif 000006
【図７】
2009230821.tif 000007
【図８】
2009230821.tif 000008
【図９】
2009230821.tif 000009
【図１０】
2009230821.tif 000010
【図１１】
2009230821.tif 000011
【図１２】
2009230821.tif 000012
【図２】
2009230821.tif 000013
【図３】
2009230821.tif 000014